(57)【要約】【課題】レンズとボディとの相対的な回転角度を認識させる。【解決手段】テレビカメラの機能を内蔵したレンズユニット１２を、テレビカメラから得られるスルー画像を表示するＬＣＤ３７を設けたカメラボディ１１に対して回転自在に設ける。レンズユニット１２及びカメラボディ１１には、絶対的な回転角度を検出する角度センサ５２，７１を備えている。各角度センサ５２，７１から得られる回転角度情報は、ボディ側ＣＰＵ６５に送られる。ボディ側ＣＰＵ６５は、演算部８０で各回転角度情報に基づいてレンズユニット１２とカメラボディ１１との相対的な回転角度を演算し、得られた相対角度の値をＬＣＤ３７に表示する。【選択図】図７
2008048008.tif 000002
【特許請求の範囲】
【請求項１】
撮影レンズと前記撮影レンズで結像する被写体像を撮像する撮像センサとを設けたレンズユニットと、前記レンズユニットを撮影光軸中心に回転自在に支持し前記撮像センサで撮像した被写体像の画像を表示する表示部が設けられたボディと、を備えた電子カメラにおいて、
前記レンズユニット及びボディに各々設けられており、前記レンズユニット及びボディとの絶対水平に対する回転角度を各々検出するレンズ側角度センサ、及びボディ側角度センサと、
前記各角度センサから得られる回転角度の情報に基づいて前記表示部に各々の回転角度の値を表示する表示制御手段と、
を備えたことを特徴とする電子カメラ。
【請求項２】
撮影レンズと前記撮影レンズで結像する被写体像を撮像する撮像センサとを設けたレンズユニットと、前記レンズユニットを撮影光軸中心に回転自在に支持し前記撮像センサで撮像した被写体像の画像を表示する表示部が設けられたボディと、を備えた電子カメラにおいて、
前記レンズユニット及びボディに各々設けられており、前記レンズユニット及びボディとの絶対水平に対する回転角度を検出するレンズ側角度センサ、及び、ボディ側角度センサと、
前記各角度センサから得られる角度情報に基づいて前記レンズユニットとボディとの相対的な回転角度を演算する演算手段と、
前記演算手段で演算した相対的な回転角度の値を前記表示部に表示する表示制御手段と、
を備えたことを特徴とする電子カメラ。
【請求項３】
撮影レンズと前記撮影レンズで結像する被写体像を撮像する撮像センサとを設けたレンズユニットと、前記撮像センサで撮像した被写体像の画像を表示する表示部が設けられており、前記レンズユニットを撮影光軸中心に回転自在に支持するボディと、を備えた電子カメラにおいて、
前記レンズユニット及びボディに各々設けられており、前記レンズユニット及びボディとの絶対水平に対する回転角度を検出する一対の角度センサと、
前記各角度センサから得られる角度情報に基づいて前記レンズユニットとボディとの相対的な傾きを演算する演算手段と、
前記レンズユニット及び前記ボディの各々の絶対水平に対する傾き値を表示する絶対表示モードと、前記レンズユニットとボディとの相対的な傾きを表示する相対表示モードとのいずれかのモードを択一的に選択する角度表示切換操作部と、
前記絶対表示モードが選択されているときには前記各角度センサから得られる回転角度の情報に基づいて前記表示部に各々の絶対的な回転角度の値を表示し、また、前記相対表示モードを選択したときには前記演算手段で演算した相対的な回転角度の値を前記表示部に表示する表示制御手段と、
を備えたことを特徴とする電子カメラ。
【請求項４】
撮影レンズと前記撮影レンズで結像する被写体像を撮像する撮像センサとを設けたレンズユニットと、前記レンズユニットを撮影光軸中心に回転自在に支持し前記撮像センサで撮像した被写体像の画像を表示する表示部が設けられたボディと、を備えた電子カメラにおいて、
前記レンズユニット又はボディとのうちのいずれか一方に設けられており、前記レンズユニット又はボディの絶対水平に対する回転角度を検出する絶対角度センサと、
前記レンズユニットとボディとの相対的な回転角度を検出する相対角度検出手段と、
前記各角度センサから得られる角度情報に基づいて前記他方の絶対水平に対する回転角度を演算する演算手段と、
前記レンズユニット及び前記ボディの各々の絶対水平に対する傾き値を表示する絶対表示モードと、前記レンズユニットとボディとの相対的な傾きを表示する相対表示モードとのいずれかのモードを択一的に選択する角度表示切換操作部と、
前記絶対表示モードが選択されているときには前記一方に設けた角度センサから得られる角度情報と前記演算手段で演算した前記他方の角度情報とに基づいて前記レンズユニットと前記ボディとの絶対的な回転角度の値を前記表示部に表示し、また、前記相対表示モードを選択したときには前記相対角度検出手段から得られる相対的な回転角度の値を前記表示部に表示する表示制御手段と、
を備えたことを特徴とする電子カメラ。
【請求項５】
前記レンズユニットに設けたボディマウントと、前記ボディに回転自在に設けられ前記ボディマウントが着脱自在に取り付けられるレンズマウントと、を備えたことを特徴とする請求項１ないし４いずれか記載の電子カメラ。
【請求項６】
前記レンズユニットに設けたボディマウントと、前記ボディに回転自在に設けられ前記ボディマウントが着脱自在に取り付けられるレンズマウントと、を備え、
前記相対角度検出手段は、前記レンズマウントと前記ボディとの相対的な回転位置を検出することを特徴とする請求項４記載の電子カメラ。
【請求項７】
前記レンズマウントと前記ボディとの対峙する面のうちの一方に設けられ、前記レンズユニットの回転軸を中心とする同心円上に所定ピッチで設けられた複数の摺動ピンと、前記他方に設けられ、前記複数の摺動ピンの各々が摺動する円環状の接点板と、を備えたことを特徴とする請求項５又は６記載の電子カメラ。
【請求項８】
前記各角度センサから得られる角度情報に基づいて前記被写体像の画像を、その全画面が前記表示部に表示されるように画像処理を行う画像処理部を設けたことを特徴とする請求項１ないし７いずれか記載の電子カメラ。
【請求項９】
前記ボディの傾きに関わらず、前記撮像センサの天地を前記表示部の天地に一致させて全画面が表示されるように、前記被写体像の画像を前記表示部に表示する通常表示モードと、
前記撮像センサの回転位置に関わりなく、被写体の天を前記表示部の天に一致させるように前記被写体像の画像を前記表示部に表示する第１表示モードと、
前記ボディの傾きに関わらず、前記撮像センサの天が常に上向きになるように前記被写体像の画像を前記表示部に表示する第２表示モードと、
前記ボディの傾きに関わらず、被写体の天が常に上向きになるように前記被写体像の画像を前記表示部に表示する第３表示モードと、のうちのいずれかのモードを択一的に選択する表示モード選択操作部と、
前記表示モード選択操作部で選択したモードの表示形態に対応するように前記被写体像の画像を補正処理し、補正処理した画像を前記表示部に表示する画像処理・表示制御手段と、
を設けたことを特徴とする請求項１ないし６いずれか記載の電子カメラ。
【請求項１０】
撮影待機状態のときには、被写体の天が常に上向きになるように前記被写体像の画像を前記表示部に表示する通常表示モードを選択し、また、前記ボディに設けたシャッタボタンの半押し操作又は全押し操作に応答して、前記撮影センサの天地を前記表示部の天地に一致させるように、前記被写体像の画像を前記表示部に表示する表示モードを選択する表示自動切換手段を備えたことを特徴とする請求項１ないし７いずれか記載の電子カメラ。
【請求項１１】
前記レンズマウントには、前記撮影光軸を中心とする周方向のうちの所定の取り付け位置で前記ボディマウントに設けた爪を受け入れる開口と、前記取り付け位置から前記周方向のうちの一方向に向けたロック位置に前記ボディマウントが回転することで前記爪の脱落を阻止する係合爪と、が設けられており、
前記レンズマウントに対して前記ボディマウントを前記取り付け位置から前記ロック位置の手間までの間で回転するときには、前記ボディマウントと前記レンズマウントとの相対的な回転を許容し、かつ、前記レンズマウントと前記ボディとの相対的な回転を阻止するとともに、前記レンズマウントに対して前記ボディマウントを前記ロック位置に回転したときには、前記レンズマウントと前記ボディとの相対的な回転を許容し、かつ、前記ボディマウントと前記レンズマウントとの相対的な回転を阻止するロック機構を備えたことを特徴とする請求項５ないし７いずれか記載の電子カメラ。
【請求項１２】
前記ボディに設けられており、前記各角度センサから得られる角度情報を前記被写体像の画像に付与したファイル形式で記録媒体に記録する記録部を設けたことを特徴とする請求項１なしい１１いずれか記載の電子カメラ。
【請求項１３】
撮影レンズと前記撮影レンズで結像する被写体像を撮像する撮像センサとを設けたレンズユニットを、前記撮像センサで撮像した被写体像の画像をスルー画像として表示する表示部を設けたボディに対して、回転自在に設けた電子カメラの画像表示方法において、
前記レンズユニット及びボディに各々設けた一対の角度センサにより前記レンズユニット及びボディとの絶対水平に対する傾き角度を検出するステップと、
前記各角度センサから得られる角度情報に基づいて表示制御手段が前記表示部に各々の傾き値を前記スルー画像に重ねて表示するステップと、
からなる電子カメラの画像表示方法。
【請求項１４】
撮影レンズと前記撮影レンズで結像する被写体像を撮像する撮像センサとを設けたレンズユニットを、前記撮像センサで撮像した被写体像の画像をスルー画像として表示する表示部を設けたボディに対して、回転自在に設けた電子カメラの画像表示方法において、
前記レンズユニット及びボディに各々設けた一対の角度センサにより前記レンズユニット及びボディとの絶対水平に対する傾き角度を検出するステップと、
前記各角度センサから得られる角度情報に基づいて演算手段で前記レンズユニットとボディとの相対的な傾きを演算するステップと、
前記演算手段で演算した相対的な傾き値を、表示制御手段が前記スルー画像に重ねて前記表示部に表示するステップと、
からなる電子カメラの画像表示方法。
【請求項１５】
撮影レンズと前記撮影レンズで結像する被写体像を撮像する撮像センサとを設けたレンズユニットと、前記レンズユニットを撮影光軸中心に回転自在に支持し前記撮像センサで撮像した被写体像の画像を表示する表示部が設けられたボディと、を備えた電子カメラにおいて、
前記レンズユニット及びボディに各々設けられており、前記レンズユニット及びボディとの絶対水平に対する回転角度を各々検出するレンズ側角度センサ、及びボディ側角度センサと、
前記ボディの傾きに関わらず、前記撮影センサの天地を前記表示部の天地に一致させるように、前記被写体像の画像を前記表示部に表示する通常表示モードと、前記撮像センサの回転位置に関わりなく、被写体の天を前記表示部の天に一致させるように前記被写体像の画像を前記表示部に表示する第１表示モードと、前記ボディの傾きに関わらず、前記撮像センサの天が常に上向きになるように前記被写体像の画像を前記表示部に表示する第２表示モードと、前記ボディの傾きに関わらず、被写体の天が常に上向きになるように前記被写体像の画像を前記表示部に表示する第３表示モードと、のうちのいずれかのモードを択一的に選択する表示モード選択操作部と、
前記表示モード選択操作部で選択したモードの表示形態に対応するように前記傾き情報に基づいて前記被写体像の画像を補正処理する画像処理手段と、
補正処理した画像を前記表示部に表示する表示制御手段と、
を備えたことを特徴とする電子カメラ。
【請求項１６】
撮影レンズと前記撮影レンズで結像する被写体像を撮像する撮像センサとを設けたレンズユニットを、前記撮像センサで撮像した被写体像の画像をスルー画像として表示する表示部を設けたボディに対して、回転自在に設けた電子カメラの画像表示方法において、
前記レンズユニット及びボディに各々設けた一対の角度センサにより前記レンズユニット及びボディとの絶対水平に対する傾き角度を検出し、傾き情報を送出するステップと、
前記ボディの傾きに関わらず、前記撮影センサの天地を前記表示部の天地に一致させるように、前記被写体像の画像を前記表示部に表示する通常表示モードと、前記撮像センサの回転位置に関わりなく、被写体の天を前記表示部の天に一致させるように前記被写体像の画像を前記表示部に表示する第１表示モードと、前記ボディの傾きに関わらず、前記撮像センサの天が常に上向きになるように前記被写体像の画像を前記表示部に表示する第２表示モードと、前記ボディの傾きに関わらず、被写体の天が常に上向きになるように前記被写体像の画像を前記表示部に表示する第３表示モードと、のうちのいずれかのモードを表示モード選択操作部で択一的に選択するステップと、
前記表示モード選択操作部で選択したモードの表示形態に対応するように前記傾き情報に基づいて画像処理手段で前記被写体像の画像を補正処理するステップと、
補正処理した画像を表示制御手段で前記表示部に表示するステップと、
を備えたことを特徴とする電子カメラの画像表示方法。
【発明の詳細な説明】
【技術分野】
【０００１】
本発明は、撮影レンズと撮像センサとを設けたレンズユニットを、撮影光軸中心に回転自在に支持するボディを備えた電子カメラ及びこれに用いる画像表示方法に関する。
【背景技術】
【０００２】
被写体像をＣＣＤイメージセンサなどの撮像センサで撮像してデジタルの画像データに変換し、内蔵メモリやメモリカードなどの記憶媒体に記録する電子カメラが普及している。電子カメラに用いられる撮像センサは、長方形状の受光面を有していることが多い。このため、受光面の長辺が絶対水平と平行になる姿勢に構えて横長の画像データを取得するいわゆる横位置撮影と、受光面の短辺が絶対水平と平行になる姿勢に構えて縦長の画像データを取得するいわゆる縦位置撮影と、のうちのいずれか一方にカメラの姿勢を変えて撮影が行われている。
【０００３】
しかし、縦位置撮影では、ホールドが困難になり横位置撮影に比べて手振れが起きやすい。このため、撮影レンズと撮像センサとを設けたレンズユニットを、撮影光軸中心に回転自在に支持するボディを備えた電子カメラが知られている（特許文献１）。この電子カメラは、ボディに対してレンズユニットを撮影光軸周りに0度の回転位置（横位置）と９０度の回転位置（縦位置）との二位置でロックするロック機構を備えている。
【特許文献１】特開２００４−３５００４７号公報
【発明の開示】
【発明が解決しようとする課題】
【０００４】
ところで、撮影をする場合には、例えば、電車や車の中とかに固定して撮影をする場合がある。この場合、ボディの底面を絶対水平に保持する姿勢に固定することができない場合ある。このような撮影姿勢では、上記特許文献に記載されている電子カメラでは、０度位置と９０度位置とのいずれかの位置しか、レンズユニットをボディに対して回転することができないため、画像の水平を絶対水平に合わせた撮影や所望する構図での撮影が行えない欠点があった。
【０００５】
本発明は上記事情に鑑みてなされたものであり、ボディの底面を絶対水平に合わせて固定できない撮影姿勢でも、画像の水平を絶対水平に合わせた撮影や所望する構図での撮影を行うことができる電子カメラ及び画像表示方法を提供することを目的とする。
【課題を解決するための手段】
【０００６】
上記課題を解決するために、本発明の電子カメラでは、レンズユニット及びボディに各々設けられており、レンズユニット及びボディとの絶対水平に対する回転角度を各々検出するレンズ側角度センサ、及びボディ側角度センサと；前記各角度センサから得られる回転角度の情報に基づいてボディに設けた表示部に各々の回転角度の値を表示する表示制御手段と；を備えたものである。
【０００７】
また、各角度センサから得られる角度情報に基づいて前記レンズユニットとボディとの相対的な回転角度を演算する演算手段を設けて、演算手段で演算した相対的な回転角度の値を表示部に表示するようにしてもよい。
【０００８】
さらに、レンズユニット及びボディの各々の絶対水平に対する傾き値を表示する絶対表示モードと、レンズユニットとボディとの相対的な傾きを表示する相対表示モードとのいずれかのモードを択一的に選択する角度表示切換操作部を設け、絶対表示モードが選択されているときには各角度センサから得られる回転角度の情報に基づいて表示部に各々の絶対的な回転角度の値を表示し、また、相対表示モードを選択したときには演算手段で演算した相対的な回転角度の値を表示部に表示するようにしてもよい。
【０００９】
絶対的な回転角度（絶対角度）を検出するセンサをレンズユニットとボディとの各々に設ける代わりに、レンズユニット又はボディとのうちのいずれか一方に設けられた絶対角度センサと、レンズユニットとボディとの相対的な回転角度（相対角度）を検出する相対角度検出手段とを設け、これらから得られる角度情報に基づいて絶対角度の表示又は相対角度の表示とを行っても良い。
【００１０】
レンズユニットとボディとは、レンズユニットに設けたボディマウントと、ボディに回転自在に設けられボディマウントが着脱自在に取り付けられるレンズマウントと、が結合される。この場合、レンズユニットと一緒にレンズマウントがボディに対して回転するため、ボディマウントをレンズマウントに取り付けるときに、レンズマウントが回転して取り付けられないおそれがある。そこで、レンズマウントに対してボディマウントを取り付け位置からロック位置の手間までの間で回転するときには、ボディマウントとレンズマウントとの相対的な回転を許容し、かつ、レンズマウントとボディとの相対的な回転を阻止するとともに、レンズマウントに対してボディマウントをロック位置に回転したときには、レンズマウントとボディとの相対的な回転を許容し、かつ、ボディマウントとレンズマウントとの相対的な回転を阻止するロック機構を備えるのが好適である。
【００１１】
この場合、レンズユニットとボディとの相対的な回転角度を検出する手段としては、レンズマウントとボディとの相対的な回転位置を検出するのが望ましい。
【００１２】
また、レンズマウントとボディとの間での電気的接続としては、互いの対峙する面のうちの一方に設けられ、レンズユニットの回転軸を中心とする同心円上に所定ピッチで設けられた複数の摺動ピンと、前記他方に設けられ、前記複数の摺動ピンの各々が摺動する円環状の接点板と、で行うのが好適である。
【００１３】
表示部に映すスルー画像としては、各角度センサから得られる角度情報に基づいて被写体像の画像を、その全画面が表示部に表示されるように画像処理を行うのが好適である。ところで、ボディを傾けて固定した場合、表示部も傾くため、スルー画像を視認し難くなる。
【００１４】
通常は、ボディの傾きに関わらず撮影センサの天地を表示部の天地に一致させるように、前記被写体像の画像を前記表示部に表示する通常表示モードになっている。しかし、このモードでは、例えばボディが傾いて固定されている場合、表示部もボディと一緒に傾くため、スルー画像を視認し難い。そこで、通常表示モードの代わりに、例えば、撮像センサの回転位置に関わりなく被写体の天を表示部の天に一致させるように被写体像の画像を表示部に表示する第１表示モードと、ボディの傾きに関わらず撮像センサの天が常に上向きになるように被写体像の画像を表示部に表示する第２表示モードと、ボディの傾きに関わらず被写体の天が常に上向きになるように被写体像の画像を表示部に表示する第３表示モードとのうちのいずれかのモードで表示するように構成してもよい。また、これら表示モードのうちのいずれかの表示モードを択一的に選択する表示モード選択操作部を設けるとともに、表示モード選択操作部で選択した表示モードに対応するように被写体像の画像を補正処理し、補正処理した画像を前記表示部に表示する画像処理・表示制御手段を備えてもよい。この場合、前述した表示部に表示する角度表示を省略し、表示部に映る被写体像の画像の向きでレンズユニット又はボディの傾き、又はこれらの相対的な傾きを認識させるようにしてもよい。
【００１５】
また、撮影待機状態のときには、被写体の天が常に上向きになるように被写体像の画像を前記表示部に表示する通常表示モードを選択し、また、ボディに設けたシャッタボタンの半押し操作又は全押し操作に応答して、撮影センサの天地を表示部の天地に一致させるように、被写体像の画像を表示部に表示する表示モードを選択する表示自動切換手段を備えてもよい。
【００１６】
なお、ボディに設けた記録部で、画像データとともに、各角度センサから得られる角度情報を関連付けして記録媒体に記録するようにしてもよい。また、前述した各部及び各手段で処理するステップを設けた構成の画像処理方法でもよい。
【発明の効果】
【００１７】
本発明によれば、レンズユニット及びボディの絶対的な角度、又は相対的な角度を表示部に表示することができるので、角度の表示を参照してレンズユニットを回転させることで、ボディの底面を絶対水平に合わせて固定できない撮影姿勢でも、表示部に映すスルー画像の水平を絶対水平に合わせた撮影を行うことができる。
【発明を実施するための最良の形態】
【００１８】
電子カメラ１０は、図１に示すように、レンズ交換式のカメラであり、カメラボディ１１にレンズユニット１２を着脱自在に取り付けて使用する。レンズユニット１２には、ズームレンズや撮像センサなどを含むテレビカメラの機能が内蔵されている。このレンズユニット１２は、異なる焦点距離の種類により多数用意されている。
【００１９】
カメラボディ１１の上面には、シャッタボタン１３、モード選択ダイヤル１４、及び、電源スイッチ１５などが設けられている。モード選択ダイヤル１４は、静止画撮影モード、動画撮影モード、及び、再生モードとのいずれかを選択する。
【００２０】
レンズユニット１２の後端には、ボディマウント１６が設けられている。ボディマウント１６は、カメラボディ１１の前面に設けたレンズマウント１７に着脱自在に結合される。
【００２１】
レンズマウント１７には、開口１８と、複数の係合爪１９，２０とが設けられている。開口１８は、撮影光軸２１を中心とする周方向のうちの所定の取り付け位置で、ボディマウント１６に設けた複数の爪２２，２３を受け入れる。係合爪１９，２０は、取り付け位置から前記周方向のうちの一方向に向けたロック位置に、ボディマウント１６が回転することで爪２２，２３の脱落を阻止する。
【００２２】
レンズユニット１２を取り付け位置の回転位置で撮影光軸２１と平行な方向からレンズマウント１７に挿入すると、爪２２，２３が開口１８に入り込む。その後、撮影光軸２１を中心にレンズユニット１２をロック位置に回転させる。このロック位置に回転すると、レンズマウント１７に設けたロックピン２４が、レンズユニット１２に設けたロック穴２５に入り込む。これにより、レンズマウント１７に対してボディマウント１６の回転がロックされ、レンズユニット１２がカメラボディ１１に位置決め固定される。このロック位置では、ボディマウント１６に設けたレンズ側接点群２６が、開口１８の内部に設けたボディ側接点群２７に各々接続される。なお、前述したマウント同士の結合としては、複数の爪をもつバヨネットマウント方式を採用しているが、これに限らず、周知のネジ式のスクリューマウントなどを採用することができる。
【００２３】
カメラボディ１１は、レンズマウント１７とボディ２９とで構成され、レンズマウント１７は、ボディ２９に対して撮影光軸２１を中心に回転自在に取り付けられている。レンズユニット１２は、レンズマウント１７と一緒にボディ２９に対して回転する。
【００２４】
レンズマウント１７及びレンズユニット１２には、ロック機構が設けられている。このロック機構は、レンズマウント１７に対してボディマウント１６を取り付け位置からロック位置の手間までの間で回転するときにはボディマウント１６とレンズマウント１７との相対的な回転を許容し、かつ、レンズマウント１７とボディ２９との相対的な回転を阻止するとともに、レンズマウント１７に対してボディマウント１６をロック位置に回転したときには、レンズマウント１７とボディ２９との相対的な回転を許容し、かつ、ボディマウント１６とレンズマウント１７との相対的な回転を阻止する。
【００２５】
ロック機構は、図２なしい図４に示すように、ロック解除ボタン３０、ロックピン２４、バネ３１、ロック穴２５、及び、ボディ側ロック穴列３２などで構成されている。ロック解除ボタン３０とロックピン２４とは、一体に取り付けられており、撮影光軸と平行に移動するようにレンズマウント１７に取り付けられている。この移動は、レンズマウント１７に対してロックピン２４の先端２４ａが前方に突出する突出位置と内部に退避する退避位置との間で行われる。ロック解除ボタン３０は、レンズマウント１７の外周に露呈している。バネ３１は、ロックピン２４をロック位置に向けて付勢する。
【００２６】
ボディ側ロック穴列３２は、複数の穴をレンズマウント１７の外周に沿って一定ピッチで配した構成になっている。ロック解除ボタン３０の後面には、突起３０ａが設けられている。突起３０ａは、ロックピン２４が退避位置に移動したときに、いずれかの穴に入り込んでレンズマウント１７の回転方向に対峙する両壁のうちの一方で突起３０ａの回転を阻止し、また、ロックピン２４がロック位置に移動したときには、ボディ側ロック穴列３２から退避してボディ２９に対するレンズマウント１７の回転を許容する。レンズマウント１７は、ボディ２９に対して回転自在である。このため、どの回転位置でも突起３０ａが入り込むように穴３２ａは、レンズマウント１７の外周に沿って多数設けてある。
【００２７】
レンズユニット１２をカメラボディ１１にセットするときには、図３の矢印（１）に示すように、取り付け位置の回転位置で撮影光軸２１と平行にレンズユニット１２を挿入する。この時、その挿入方向で対峙するレンズユニット１２の後面１２ａに押されてロックピン２４がバネ３１の付勢に抗して退避位置に移動する。この移動により、突起３０ａがボディ側ロック穴列３２のうちのいずれかの穴３２ａに入り込んで、レンズマウント１７とボディ２９との相対的な回転をロックする。その後、レンズユニット１２をレンズマウント１７に対して同図の矢印（２）に示す向きに回転させる。この回転により、レンズユニット１２がロック位置に回転する。ロック位置に回転すると、図４に示すように、ロック穴２５がロックピン２４の先端２４ａに対峙する位置に一致し、バネ３１の付勢により先端２４ａがロック穴２５に入り込むとともに、突起３０ａがボディ側ロック穴列３２から退避する。これにより、レンズマウント１７とレンズユニット１２との相対的な回転がロックされるとともに、レンズマウント１７とボディ２９との相対的な回転が許容される。
【００２８】
レンズマウント１７は、図５に示すように、ボディ２９の前面に設けた受け部３５に回転自在に支持されている。レンズマウント１７とボディ２９との間での電気的接続は、複数の摺動ピン３６と、これら摺動ピン３６と同じ数だけ設けた接点板３７との接触で行われる。摺動ピン３６は、レンズマウント１７の背面に突出して設けられている。これら摺動ピン３６は、レンズユニット１２の回転軸を中心とする同心円上に所定ピッチで配されており、レンズマウント１７の内部でボディ側接点群２７の各々に接続されている。
【００２９】
複数の接点板３７は、受け部３５の奥に設けられている。各接点板３７は、前記回転軸を中心とする同心円上に沿った円環状の形状になっており、各々に摺動ピン３６が摺動する。レンズユニット１２を回転すると、レンズマウント１７が一緒に回転し、レンズマウント１７に設けた各摺動ピン３６が各接点板３７に沿って摺動する。これにより、レンズユニット１２が無限的に回転しても、レンズユニット１２とカメラボディ１１との間での電気的接続が継続される。なお、摺動ピン３６を受け部３５側に設け、複数の接点板３７をレンズマウント１７側に設けてもよい。
【００３０】
図６に示すように、カメラボディ１１の背面には、表示部と、角度表示切換操作部３８とが設けられている。表示部は、レンズユニット１２に設けた撮像センサの受光面と同じアスペクト比になっている横長矩形の画面を有するＬＣＤ３７である。ＬＣＤ３７は、長辺がカメラボディ１１の底面１１ａと平行になるようにカメラボディ１１に固定されている。なお、表示部としてはＬＣＤ３７に限らず、有機ＥＬ(Electro Luminescence）を用いた表示部を採用してもよい。
【００３１】
角度表示切換操作部３８は、絶対角度表示ボタン３８ａと、相対角度表示ボタン３８ｂとからなる。絶対角度表示ボタン３８ａは、レンズユニット１２及びボディ２９との絶対水平に対する傾き値を各々表示する絶対角度表示モードを選択する。相対角度表示ボタン３８ｂは、レンズユニット１２とボディ２９との相対的な傾き値を表示する相対角度表示モードを選択する。なお、カメラボディ１１の底面１１ａには、図示していないが、三脚ネジが設けられている。
【００３２】
レンズユニット１２には、図７に示すように、撮影レンズ４０やＣＣＤ（撮像センサ）４１を含むテレビカメラの機能が内蔵されている。カメラボディ１１には、ＣＣＤ４１で撮像した画像データを記録媒体に記録する画像記録機、及び、記録媒体に記録した画像をＬＣＤ３７に表示する画像表示機などを内蔵している。
【００３３】
レンズユニット１２には、撮影レンズ４０、絞り機構４２、メカシャッタ４３、絞り用モータ４４、シャッタ用モータ４５、合焦モータ４６、変倍モータ４７、これらモータ４４〜４７のドライバ４８，４９，５０，５１、レンズ側角度センサ５２、ＣＣＤ４１、アナログ信号処理５３、Ａ／Ｄ５４、デジタル信号処理５５、積算回路５６、圧縮回路５７、ＲＯＭ５８、ＲＡＭ５９、インターフェイス（Ｉ／Ｆ）ドライバ６０、及び、レンズ側ＣＰＵ６１が内蔵されている。
【００３４】
レンズ側ＣＰＵ６１、ＲＯＭ５８、ＲＡＭ５９、圧縮回路５７、Ｉ／Ｆドライバ６０、積算回路５６、レンズ側角度センサ５２、及び、デジタル信号処理５５は、伝送路（バス）６２で接続されている。また、アナログ信号処理５３、Ａ／Ｄ５４、デジタル信号処理５５、及び、圧縮回路５７は、ＣＣＤ４１から得られる画像信号をデジタルの画像信号に変換して、予め決められた圧縮形式に圧縮するまで処理を行う。圧縮回路５７で圧縮した画像データは、記録用画像データとしてＩ／Ｆドライバ６０を介して高速な通信でカメラボディ１１側に送られる。勿論この間には、レンズ側接点群２６とボディ側接点群２７、及び、複数の摺動ピン３６と複数の接点板３７とを通る。また、デジタル信号処理５５から得られるスルー画像用の画像データは、バス６２、Ｉ／Ｆドライバ６０を介してカメラボディ１１に送られる。
【００３５】
レンズ側角度センサ５２は、絶対水平に対するレンズユニット１２の回転角度を検知し、検知した角度情報を送出する。なお、角度センサ５２としては、封入した液体の傾斜に伴う静電容量の変化を角度変化として捉える液封入容量式傾斜角センサが、絶対角度を検知することができるので、好適である。
【００３６】
ＣＣＤ４１は、横長矩形の受光面を有し、受光面が撮影レンズ４０の結像面に一致し、かつ、受光面の中心が撮影光軸２１に一致するように固定されている。そして、レンズ側角度センサ５２は、長方形の受光面の長辺方向が絶対水平と平行になるＣＣＤ４１の回転位置を０度と認識するように位置決めされている。この回転位置は二位置ある。一方は、ＣＣＤ４１の天が被写体の天に一致する回転位置、他方は、ＣＣＤ４１の天が被写体の地に一致する回転位置である。このうちの、一方の回転位置、すなわち、天が被写体の天に一致するＣＣＤ４１の回転位置が、０度の傾き値になる回転位置になっている。このレンズ側角度センサ５２から得られる情報は、バス６２、Ｉ／Ｆドライバ６０を介してカメラボディ１１に送られる。
【００３７】
積算回路５６は、Ａ／Ｄ５４から得られるデジタルの画像信号を取り込んで、コントラスト式のＡＦ制御、及びＡＥ制御を行う。積算回路５６で得た測距情報は、ＡＦ信号としてレンズ側ＣＰＵ６１に送られ、レンズ側ＣＰＵ６１は、ＡＦ信号に基づいて、ドライバ５０を介して合焦モータ４６の駆動を制御する。また、積算回路５６で得た測光情報は、ＡＥ信号としてレンズ側ＣＰＵ６１に送られ、レンズ側ＣＰＵ６１は、ＡＥ信号に基づいて、ドライバ４８を介して絞り用モータ４４の駆動を制御する。
【００３８】
カメラボディ１１には、ボディ側ＣＰＵ６５、Ｉ／Ｆドライバ６６、ＲＯＭ６７、ＲＡＭ６８、伸長回路６９、カードＩ／Ｆ７０、ボディ側角度センサ７１、及び、フレームメモリ７２等が設けられており、これらは各回路間でデータをやり取りするための伝送路（バス）７３に接続されている。レンズユニット１２側から高速で送られてくる記録用の画像データは、Ｉ／Ｆドライバ６６からバス７３を通ってカードＩ／Ｆ７０に送られ、カードＩ／Ｆ７０に接続したメモリカード７４に記録される。このメモリカード７４は、スロットに着脱自在に取り付けられている。また、レンズユニット１２側から送られるスルー画像用の画像データは、フレームメモリ７２に蓄積された後に、ＬＣＤ用のドライバ７５を介してＬＣＤ３７に送られる。これにより、ＬＣＤ３７には、スルー画像が表示される。なお、カメラボディ１１には、シャッタボタン１３や角度表示切換操作部３８以外に、図１で説明したモード選択ダイヤル、及び、電源スイッチも設けられている。
【００３９】
ボディ側角度センサ７１は、絶対水平に対するボディ２９の傾き角度を検知し、検知した角度情報を送出する。なお、この角度センサも、レンズ側角度センサ５２と同じに液封入容量式傾斜角センサが、絶対角度を検知することができるので、好適である。
【００４０】
ＬＣＤ３７は、横長矩形の画面を有し、その画面の中心が撮影光軸２１に一致するように固定されている。そして、ボディ側角度センサ７１は、ＬＣＤ３７の画面の長辺方向が絶対水平と平行になるボディ２９の回転位置を０度と認識するように位置決めされている。この回転位置も二位置あるが、このうちのＬＣＤの天が被写体の天に一致する回転位置が、０度の傾き値になる回転位置になっている。このボディ側角度センサ７１から得られる情報は、バス７３を介してボディ側ＣＰＵ６５に送られる。
【００４１】
モード選択ダイヤル１４で指定したモード情報は、レンズ側ＣＰＵ６１に送られる。静止画撮影モード及び動画撮影モードが指定されたときには、レンズ側ＣＰＵ６１が統括的な制御を行い、レンズユニット１２側に設けたＲＯＭ５８に記憶した撮影用プログラムを実行してスルー画像の表示、及び、撮影に関する処理を行うように各部を制御する。撮影は、シャッタボタン１３のレリーズ操作に応じて処理が実行される。シャッタボタン１３から得られるレリーズ信号は、レンズ側ＣＰＵ６１及びボディ側ＣＰＵ６５にそれぞれ送られる。
【００４２】
また、再生モードを指定した時には、レンズ側ＣＰＵ６１からボディ側ＣＰＵ６５に制御を移管する。ボディ側ＣＰＵ６５は、カメラボディ１１側のＲＯＭ６７に予め記憶した再生用プログラムを実行し、メモリカード７４に記憶した画像データを読み出して伸長回路６９で伸長した後にフレームメモリ７２に記憶し、ドライバ７５によりフレームメモリ７２から読み出してＬＣＤ３７に表示するように各部を制御する。
【００４３】
カメラボディ１１にはバッテリ７７が着脱自在に取り付けられている。バッテリ７７からの電源は、電源制御部７８を介してＤＣ／ＤＣ回路７９に供給され、ここからカメラボディ１１とレンズユニット１２とに電源供給される。電源制御部７８の作動は、電源スイッチ１５のＯＮ−ＯＦＦに応答して行われる。
【００４４】
ボディ側ＣＰＵ６５には、演算部８０が設けられている。演算部８０は、角度表示切換操作部３８で相対角度表示モードが選択されたときに、レンズ側及びボディ側角度センサ５２，７１からそれぞれ得られる角度情報に基づいてレンズユニット１２とボディ２９との相対的な傾き値を演算する。
【００４５】
ボディ側ＣＰＵ６５は、図８に示すように、絶対角度表示モードを選択しているときには各角度センサ５２，７１から得られる角度情報に基づいてＬＣＤ３７に各々の傾き値をスルー画像に重ねて表示し、また、相対角度表示モードを選択しているときには演算部８０で演算した相対的な傾き値をスルー画像に重ねてＬＣＤ３７に表示するようにフレームメモリ７２、ドライバ７５、及びＬＣＤ３７を制御する。
【００４６】
電子カメラ１０は、レンズユニット１２を取り付けた後に電源スイッチ１５をＯＮすることで、各部に電源が供給される。そして、このときのモード選択ダイヤル１４の指定に応じて、静止画撮影、動画撮影、及び再生とのうちのいずれかのプログラムが実行される。
【００４７】
静止画撮影モード及び動画撮影モードを指定すると、レンズ側ＣＰＵ６１は、ＣＣＤ４１で撮像した画像データに基づいてピント及び絞りを調節し、また、ＣＣＤ４１から連続して得られる画像データをスルー画像としてＬＣＤ３７に表示するように制御する。
【００４８】
図９は、カメラボディ１１側から見たレンズユニット１２の輪郭線、及びＣＣＤ４１の受光面４１ａの輪郭線をそれぞれ示している。この状態では、被写体の天とＣＣＤの天とが一致する回転位置、すなわち、レンズ側角度センサ５２で検知する絶対角度の値が０度になる回転位置になっている。なお、図９に示す三角マークは、ＣＣＤ４１の天の方向を示している。
【００４９】
図１０は、レンズユニット１２が図９に示した回転位置のときのカメラボディ１１の背面を示している。この状態では、底面１１ａが絶対水平と平行な姿勢になるようにボディ２９が保持されている。
【００５０】
角度表示切換操作部３８は、電源ＯＮ時の最初は絶対角度表示モードを選択する。これにより、ボディ側ＣＰＵ６５は、レンズ側角度センサ５２とボディ側角度センサ７１とからそれぞれ角度情報を取り込み、これら角度情報をＲＡＭ６８に一時的に記憶して、ＬＣＤ３７に、例えば「レンズ：０度」及び「カメラ：０度」との文字の表示を行うように制御する。ＲＡＭ６８には、各角度情報の最新の値が記憶される。ボディ側ＣＰＵ６５は、ＲＡＭ６８に記憶した最新の角度情報をそれぞれ読み出し、読み出した各角度情報に基づいてレンズユニット１２とボディ２９との絶対角度を表示する。このとき、ＬＣＤ３７には、スルー画像が表示されているので、レンズユニット１２とボディ２９との絶対角度の表示は、スルー画像に重ねて表示される。また、レンズ側角度センサ５２とボディ側角度センサ７１とから角度情報を取り込むタイミングは、一定時間ごとに取り込む。これにより、ＬＣＤ３７に表示される角度の表示も一定時間ごとに最新の角度表示に切り替わる。
【００５１】
レンズユニット１２を、図１１に示すように、反時計方向にＸ度、例えば２０度分だけ回転させ、且つ、カメラボディ１１を図１２に示すように、時計方向にＹ度、例えば−１０度分だけ回転させると、ＬＣＤ３７には、例えば「レンズ：２０度」及び「カメラ：３５０度」と表示される。角度の表示は、図９及び図１０に示した基準の回転位置から、反時計回りに回転することで角度の値が増加する表示に決められている。なお、逆でもよい。また、表示する角度は、グラジエント、ラジアン、測量用単位、又は、度/分/秒の単位で表示してもよい。また、ＬＣＤ３７に表示する文字は、ＬＣＤ３７の回転位置に合わせて表示してもよいし、また、読みやすいように、常に絶対水平に沿って表示するように補正処理を行うようにしてもよい。文字を絶対水平に沿って表示する場合には、演算部８０でレンズ側及びボディ側角度センサ５２，７１からそれぞれ得られる角度情報に基づいてレンズユニット１２とボディ２９との相対的な傾き値を演算し、得られた相対的な傾き値に基づいて文字画像を回転補正して表示すればよい。
【００５２】
角度表示切換操作部３８で相対角度表示モードを選択すると、レンズ側及びボディ側角度センサ５２，７１から角度情報をそれぞれ取得し、これら角度情報をＲＡＭ６８に一時的に記憶し、ＲＡＭ６８から読み出した最新の角度情報に基づいて演算部８０でレンズユニット１２とボディ２９との相対的な傾き値を演算し、演算から得られた相対的な角度の値を、図１３に示すように、ＬＣＤ３７に表示する。この表示としては、絶対水平に対してレンズユニット１２が２０度、ボディ２９が３５０度で傾いている場合、演算した結果の相対的な傾き値は「３３０度（−３０度）」になるが、１８０度以上の角度値を表示しても分かり難いため、「３０度」と表示するのが好適である。このとき、符号は回転方向を示す表示であるので、省略して絶対値で表示するのが望ましい。
【００５３】
このように、相対的な角度を表示することで、例えばボディ２９が傾いて固定される場合でも、レンズユニット１２を表示角度の分だけどちらかに回転させることで、被写体の天とＣＣＤ４１の天とを一致させて撮影を行うことができる。また、レンズユニット１２を所望の構図になるように回転させて撮影を行い、その後にレンズユニット１２を基準の回転位置に戻す場合も相対的な角度表示を目安にすれば迅速且つ正確に行える。
【００５４】
シャッタボタン１３の全押し操作に応答して画像データがメモリカード７４に記憶される。このとき、画像データとともにレンズユニット１２とボディ２９との絶対角度、及び、相対角度との情報をＲＡＭ６８から読み出してこれら角度情報を画像データと一緒にファイル化して記録するようにしてもよい。ファイル形式には、画像データとは別にタグ情報を書き込むエリアを有する、例えばExif形式の画像ファイルが知られている。この形式のファイルを用いる場合には、タグ情報として撮影日やサムネイル画像に加えて、前述した絶対角度や相対角度の情報を書込めばよい。
【００５５】
ところで、通常、ＬＣＤ３７に映されるスルー画像は、ＣＣＤ４１を回動しても向きが変化しない。というのは、例えばＣＣＤ４１の受光面４１ａ内に配した個々の受光素子と、ＬＣＤ４１の液晶セグメントとが１対１に対応している場合、ＣＣＤ４１の回動位置が変化しても、これらの受光素子と液晶セグメントとの対応関係が変化されない。したがって、このように対応関係を保ったままＣＣＤ４１を回転してもＬＣＤ３７に対してスルー画像の向きが変化しない。
【００５６】
この表示形態を通常表示モードとして説明する。通常表示モードは、図１４〜図１６に示すように、ボディ２９の傾きに関わらず、ＣＣＤ４１の天（図１４に符号８４で示す矢印方向）をＬＣＤ３７の天（図１５及び図１６に符号８１で示す矢印方向）に一致させるように、スルー画像をＬＣＤ３７に表示する。この表示モードでは、受光面４１ａの個々の受光素子とＬＣＤ４１の液晶セグメントとが１対１に対応するので、スルー画像の全部がＬＣＤ３７に表示される。なお、ＣＣＤ４１の受光面４１ａには、撮影レンズ４０により被写体に対して上下左右が反転した被写体像が結像する。ＣＣＤ４１で撮像した画像データは、デジタル信号処理５５で上下左右の反転処理が施されて、正しい向きに補正される。そこで、図１４では、分かりやすくするために、デジタル信号処理で補正した向きで被写体の絵を記載している。
【００５７】
ところで、レンズユニット１２を所望の構図になるように回転させて撮影を行う場合、ＬＣＤ３７に表示するスルー画像の向きを、見やすい向きに回転して表示するようにしてもよい。この場合、カメラボディ１１に画像処理回路をバス７３に接続して設け、画像処理回路で画像データを回転や拡縮などの補正をしてフレームメモリ７２に送るようにすればよい。
【００５８】
この表示形態としては、例えば、以下に説明する第１〜第３表示モードのうちのいずれでもよい。
【００５９】
第１表示モードとしては、図１７及び図１８に示すように、ＣＣＤ４１の回転位置に関わりなく、被写体の天（図１４に符号８２で示す矢印方向）を、ＬＣＤ３７の天（図１７及び図１８に符号８３で示す矢印方向）に一致させてスルー画像をＬＣＤ３７に表示するモードである。このとき、レンズユニット１２が回転していると、受光面４１ａの個々の受光素子とＬＣＤ４１の液晶セグメントとが１対１に対応しないので、スルー画像の一部がＬＣＤ３７の画面範囲で蹴られてスルー画像の全部が映らない。そこで、画像処理部でスルー画像の全部がＬＣＤ３７の画面に映るように縮小処理して表示するのが望ましい。
【００６０】
第２表示モードは、図１９及び図２０に示すように、ボディ２９の傾きに関わらず、ＣＣＤ４１の天（図１４に符号８４で示す矢印方向）が常に真上を向くようにスルー画像をＬＣＤ３７に表示するモードである。この場合、ボディ２９が正立姿勢（角度０度の姿勢）から回転すると、受光面４１ａの個々の受光素子とＬＣＤ４１の液晶セグメントとが１対１に対応しないので、画像処理部でスルー画像の全部がＬＣＤ３７の画面に映るように縮小処理して表示するのが望ましい。
【００６１】
第３表示モードは、図２１及び図２２に示すように、ボディ２９の傾きに関わらず、被写体の天（図１４に符号８２で示す矢印方向）が常に真上を向くようにスルー画像をＬＣＤ３７に表示するモードである。このモードでも、ＣＣＤ４１とボディ２９とが正立姿勢（角度０度の姿勢）以外の回転位置である場合、受光面４１ａの個々の受光素子とＬＣＤ４１の液晶セグメントとが１対１に対応しないので、画像処理部でスルー画像の全部がＬＣＤ３７の画面に映るように縮小処理して表示するのが望ましい。
【００６２】
また、前述した通常、及び第１〜第３との表示モードのうちのいずれかを択一的に選択する構成にしてもよい。この場合には、前記４つの表示モードのうちのいずれか１つを選択する表示モード選択操作部と、表示モード選択操作部で選択したモードの表示形態に対応するようにスルー画像を補正処理し、補正処理した画像をＬＣＤ３７に表示する画像処理部、及び、表示制御手段と、を設ければよい。画像処理部としては、図７で説明したカメラボディ１１側のバス７３に接続して設ければよい。また、表示制御手段としては、図７で説明したボディ側ＣＰＵ６５、フレームメモリ７２、ドライバ７５、及び、ＬＣＤ３７で構成すればよい。
【００６３】
このように表示モード選択操作部での操作に応答して前述した４つの表示モードのうちのいずれかの表示モードに対応する形態でスルー画像をＬＣＤ３７に表示する。このときボディ側ＣＰＵ６５は、レンズ側及びボディ側角度センサ５２，７１から得られる角度情報に基づいて各々の絶対角度及び相対角度を演算しているので、これら角度に基づいてスルー画像の回転角度、及び、縮小率を決め、決められた角度及び縮小率に基づいて画像処理部で画像処理を行わせる。このとき、ＬＣＤ３７には、スルー画像とともに各々の絶対角度又は相対角度が表示されている。なお、角度を表示する構成を省略し、表示モードだけを変える構成でもよい。
【００６４】
また、手動で表示モードを択一的に選択するのではなく、自動的に表示モードを変える表示自動切換モードを設けてもよい。この場合には、図２３に示すように、表示自動切換モードと通常表示モードとを択一的に選択する操作部を設け、この操作部で表示自動切換モードを選択すると、撮影準備状態では前述した第３表示モードに応じた表示を行い、シャッタボタンの半押し操作に応答して前述した通常表示モードに応じた表示を行う。この通常表示モードは、シャッタボタンの全押し操作に応答して行われる撮影処理が完了してから一定時間経過後まで行われる。
【００６５】
表示自動切換モードを選択すると、シャッタボタンの操作を行っていない撮影準備状態のときには、前述した第３表示モードに対応する向きでスルー画像をＬＣＤ３７に表示する。第３表示モードは、図２１及び図２２に示すように、ボディの傾きに関わらず、被写体の天を常に上向きにしてスルー画像をＬＣＤ３７に表示するモードである。これによれば、通常表示モードではボディ２９を回転すると、ＬＣＤ３７とともにスルー画像の向きも変わるので、スルー画像を見ながらレンズユニット１２を回転して構図を変える調節が行い難いのに対し、この第３表示モードでは、ボディ２９を回転してもスルー画像の向きが変わらないので、スルー画像を見ながらレンズユニット１２を回転して構図を変える調節が行い易い。
【００６６】
シャッタボタン１３の半押し又は全押し操作を行うと、前述した通常表示モードに対応する向きでスルー画像がＬＣＤ３７に表示される。通常表示モードは、図１４〜図１６に示すように、ボディ２９の傾きに関わらず、ＣＣＤ４１の天をＬＣＤ３７の天に一致させるようにスルー画像をＬＣＤ３７に表示するモードである。これによれば、被写体画像の全部がＬＣＤ３７の画面いっぱいに表示されるので、ＬＣＤ３７の画面で被写体画像の確認が行い易く、また、ＬＣＤ３７の画面に対して被写体画像がプリント写真と同じ向きで映されるので、プリント状態も確認し易い。なお、表示自動切換えモードを選択しない場合には、通常表示モードで表示される。
【００６７】
上記各実施形態では、レンズユニット１２とボディ２９とに角度センサ５２，７１をそれぞれ設け、各角度センサ５２，７１から得られる角度情報に基づいて、それぞれの絶対角度、及び、これら角度情報に基づいて算出する相対角度を表示しているが、本発明ではこれに限らず、レンズユニット１２とボディ２９とのうちのいずれか一方に設けた角度センサと、レンズユニット１２とボディ２９との相対的な角度を検出する相対角度検出手段とを設け、前記一方に設けた角度センサから得られる角度情報と、前記相対角度検出手段から得られる相対角度情報と、から前記他方の絶対角度を算出して、それぞれの絶対角度を表示するようにしてもよい。この場合、相対角度は、相対角度検出手段から得られる角度情報の値をそのまま表示すればよいから、算出する必要がない。
【００６８】
相対角度検出手段としては、図２４に示すように、図５で説明したボディ側の接点板３７のうちの最も内側の接点板９０を周方向に一定ピッチで分割した複数の接点列で構成し、レンズマウント１７側の最も内側の摺動ピン３６ａが前記分割した複数の接点列のうちの何れの接点に導通しているか否かにより、レンズマウント１７とボディ２９との相対的な角度を検出するように構成してもよい。これによれば、レンズマウント１７とボディ２９との間での信号伝達を行いながら、相対的な角度を検出することができるので、一方の角度センサを省略することでき、よってローコスト化を図ることができる。なお、摺動ピン３６ａを受け部３５側に設け、複数の接点板９０をレンズマウント１７側に設けてもよい。
【００６９】
なお、上記各実施形態において、撮像センサとしてＣＣＤを用いているが、これに限るものではなく、例えば、ＣＭＯＳイメージセンサを用いても良い。また、上記各実施形態では、記録部をボディ１１に内蔵しているが、記録部を省略してもよい。この場合には、記録部を別に設け、ボディと記録部を接続して記録部で記録するようにすればよい。
【００７０】
また、本発明は、電子カメラ以外に、ビデオカメラ、カメラ付き携帯電話、及び、「ＰＤＡ」と称される個人情報機器（Personal Digital Assistant）などにも採用することができる。
【図面の簡単な説明】
【００７１】
【図１】本発明を採用した電子カメラの外観を示す分解斜視図であり、レンズユニットとカメラボディとを分離して記載している。
【図２】カメラボディに設けたレンズマウントを示す要部断面図である。
【図３】レンズユニットのボディマウントをレンズマウントに取り付けている状態を示す要部断面図である。
【図４】ボディマウントとレンズマウントとの取り付けを完了した状態を示す要部断面図である。
【図５】レンズマウントとボディに設けた受け部との間の回転部位での信号授受を行う接点部を示す要部分解斜視図である。
【図６】電子カメラを示す背面図である。
【図７】電子カメラの電気的概略を示すブロック図である。
【図８】電子カメラでの角度表示の手順を示すフローチャート図である。
【図９】レンズユニットの絶対角度が０度のときのＣＣＤの受光面の回転位置を示す説明図であり、カメラボディの背面側から見た図である。
【図１０】図９で説明したＣＣＤの回転位置のときに、ＬＣＤに表示する絶対角度の文字の一例を示す電子カメラの背面図である。
【図１１】レンズユニットの絶対角度がプラス方向にＸ度の分だけ傾いたときのＣＣＤの受光面の回転位置を示す説明図であり、カメラボディの背面側から見た図である。
【図１２】図１１で説明したＣＣＤの回転位置のときに、ＬＣＤに表示する絶対角度の文字の一例を示す電子カメラの背面図である。
【図１３】図１１で説明したＣＣＤの回転位置のときに、ＬＣＤに表示する相対角度の文字の一例を示す電子カメラの背面図である。
【図１４】ＣＣＤがプラス方向に傾斜したときに得られる被写体画像の絵を概略的に示す説明図である。
【図１５】通常表示モードを選択したときに、図１４で説明したＣＣＤの回転位置のときに得られる被写体画像をＬＣＤに表示する向きを示す説明図であり、カメラボディの傾きが０度のときの状態を示している。
【図１６】通常表示モードを選択したときに、図１４で説明したＣＣＤの回転位置のときに得られる被写体画像をＬＣＤに表示する向きを示す説明図であり、カメラボディの傾きがマウナス方向に傾いた状態を示している。
【図１７】第１表示モードを選択したときに、図１４で説明したＣＣＤの回転位置のときに得られる被写体画像をＬＣＤに表示する向きを示す説明図であり、カメラボディの傾きが０度のときの状態を示している。
【図１８】第１表示モードを選択したときに、図１４で説明したＣＣＤの回転位置のときに得られる被写体画像をＬＣＤに表示する向きを示す説明図であり、カメラボディの傾きがマイナス方向に傾いた状態を示している。
【図１９】第２表示モードを選択したときに、図１４で説明したＣＣＤの回転位置のときに得られる被写体画像をＬＣＤに表示する向きを示す説明図であり、カメラボディの傾きが０度のときの状態を示している。
【図２０】第２表示モードを選択したときに、図１４で説明したＣＣＤの回転位置のときに得られる被写体画像をＬＣＤに表示する向きを示す説明図であり、カメラボディの傾きがマイナス方向に傾いた状態を示している。
【図２１】第３表示モードを選択したときに、図１４で説明したＣＣＤの回転位置のときに得られる被写体画像をＬＣＤに表示する向きを示す説明図であり、カメラボディの傾きが０度のときの状態を示している。
【図２２】第３表示モードを選択したときに、図１４で説明したＣＣＤの回転位置のときに得られる被写体画像をＬＣＤに表示する向きを示す説明図であり、カメラボディの傾きがマイナス方向に傾いた状態を示している。
【図２３】表示モードを自動的に切換える他の実施形態を示すフローチャート図である。
【図２４】相対角度検出手段の一例を示す要部斜視図である。
【符号の説明】
【００７２】
１０  電子カメラ
１１  カメラボディ
１２  レンズユニット
１６  ボディマウント
１７  レンズマウント
３７  ＬＣＤ
５２，７１  角度センサ
８０  演算部
【図１】
2008048008.tif 000003
【図２】
2008048008.tif 000004
【図３】
2008048008.tif 000005
【図４】
2008048008.tif 000006
【図５】
2008048008.tif 000007
【図６】
2008048008.tif 000008
【図７】
2008048008.tif 000009
【図８】
2008048008.tif 000010
【図９】
2008048008.tif 000011
【図１０】
2008048008.tif 000012
【図１１】
2008048008.tif 000013
【図１２】
2008048008.tif 000014
【図１３】
2008048008.tif 000015
【図１４】
2008048008.tif 000016
【図１５】
2008048008.tif 000017
【図１６】
2008048008.tif 000018
【図１７】
2008048008.tif 000019
【図１８】
2008048008.tif 000020
【図１９】
2008048008.tif 000021
【図２０】
2008048008.tif 000022
【図２１】
2008048008.tif 000023
【図２２】
2008048008.tif 000024
【図２３】
2008048008.tif 000025
【図２４】
2008048008.tif 000026